(57)【特許請求の範囲】
【請求項１】
棒金を立位状態で収納する棒金収納空間を有する棒金トレイを備え、
前記棒金収納空間は、前記棒金の側面に対向する側部により形成され、
前記側部の少なくとも一部は、前記棒金収納空間の下方にかけて前記棒金収納空間の断面が狭まるテーパ領域を有する、棒金収納装置。
【請求項２】
前記棒金収納装置は、
前記テーパ領域より上方に位置する第１のセンサと、
前記第１のセンサより下方に位置する第２のセンサと、
を有し、
前記第１のセンサおよび前記第２のセンサの出力は、検出範囲における棒金の有無に応じて変化する、請求項１に記載の棒金収納装置。
【請求項３】
前記テーパ領域は、前記棒金の立位方向と平行な第１の領域と、前記棒金の立位方向に対して傾斜する第２の領域を含み、
前記第２のセンサは、前記第１の領域側に設けられる、請求項２に記載の棒金収納装置。
【請求項４】
前記テーパ領域は、前記棒金収納空間の下端側に位置する、請求項１〜３のいずれか一項に記載の棒金収納装置。
【請求項５】
前記テーパ領域は、前記棒金収納空間の底部と離隔して位置し、
前記第２のセンサは、前記棒金収納空間の底部に設けられる、請求項２に記載の棒金収納装置。
【請求項６】
前記棒金トレイは、第１の棒金収納空間および第２の棒金収納空間を有し、
前記第１の棒金収納空間を形成する側部は前記テーパ領域を有し、
前記第２の棒金収納空間を形成する側部は前記テーパ領域を有さない、請求項１〜５のいずれか一項に記載の棒金収納装置。
【請求項７】
前記棒金トレイはさらに第３の棒金収納空間を有し、
前記第１の棒金収納空間を形成する側部が有する前記テーパ領域のテーパ角度は、前記第３の棒金収納空間を形成する側部が有する前記テーパ領域のテーパ角度と異なる、請求項６に記載の棒金収納装置。
【発明の詳細な説明】
【技術分野】
【０００１】
本発明は、棒金収納装置に関する。
【背景技術】
【０００２】
近年、小売店やスーパーマーケットなどの流通施設および商業施設において、売上金を入金し、釣銭準備金を出金する現金処理装置が設置されている。現金処理装置の一例として、同一金種の所定枚数（例えば、５０枚）の硬貨を棒状に包装して得られる棒金の収納機能を備える現金処理装置も知られている。
【０００３】
棒金の収納機能は、例えば、棒金を立位状態で収納するための棒金収納空間が金種ごとに設けられた棒金トレイにより実現される。当該棒金トレイには、各金種の棒金が各金種に対応する棒金収納空間に正しく収納されることが望まれる。このような観点から、特許文献１には、棒金の誤収納を検出するための技術が開示されている。具体的には、特許文献１には、棒金収納空間の底部から突出する載置台部を設ける技術が開示されている。当該技術によれば、棒金収納空間に対応する金種の棒金より径の小さい棒金が当該棒金収納空間に収納された場合に、載置台部における棒金の載置状態に応じて、棒金に傾きが生じる。従って、オペレータは、棒金の傾きに基づいて棒金の誤収納を検出し得る。
【先行技術文献】
【特許文献】
【０００４】
【特許文献１】特開２０１３−１７５０３１号公報
【発明の概要】
【発明が解決しようとする課題】
【０００５】
しかし、特許文献１に記載の技術では、棒金収納空間に対応する金種の棒金より径の小さい棒金が当該棒金収納空間に収納されても、載置台部における棒金の載置状態によっては棒金に傾きが生じない。このため、棒金の誤収納の検出漏れが生じ得る。
【０００６】
そこで、本発明は、上記問題に鑑みてなされたものであり、本発明の目的とするところは、棒金の誤収納をより高精度に検出することが可能な、新規かつ改良された棒金収納装置を提供することにある。
【課題を解決するための手段】
【０００７】
上記課題を解決するために、本発明のある観点によれば、棒金を立位状態で収納する棒金収納空間を有する棒金トレイを備え、前記棒金収納空間は、前記棒金の側面に対向する側部により形成され、前記側部の少なくとも一部は、前記棒金収納空間の下方にかけて前記棒金収納空間の断面が狭まるテーパ領域を有する、棒金収納装置が提供される。
【０００８】
前記棒金収納装置は、前記テーパ領域より上方に位置する第１のセンサと、前記第１のセンサより下方に位置する第２のセンサと、を有し、前記第１のセンサおよび前記第２のセンサの出力は、検出範囲における棒金の有無に応じて変化してもよい。
【０００９】
前記テーパ領域は、前記棒金の立位方向と平行な第１の領域と、前記棒金の立位方向に対して傾斜する第２の領域を含み、前記第２のセンサは、前記第１の領域側に設けられてもよい。
【００１０】
前記テーパ領域は、前記棒金収納空間の下端側に位置してもよい。
【００１１】
前記テーパ領域は、前記棒金収納空間の底部と離隔して位置し、前記第２のセンサは、前記棒金収納空間の底部に設けられてもよい。
【００１２】
前記棒金トレイは、第１の棒金収納空間および第２の棒金収納空間を有し、前記第１の棒金収納空間を形成する側部は前記テーパ領域を有し、前記第２の棒金収納空間を形成する側部は前記テーパ領域を有さなくてもよい。
【００１３】
前記棒金トレイはさらに第３の棒金収納空間を有し、前記第１の棒金収納空間を形成する側部が有する前記テーパ領域のテーパ角度は、前記第３の棒金収納空間を形成する側部が有する前記テーパ領域のテーパ角度と異なってもよい。
【発明の効果】
【００１４】
以上説明したように本発明によれば、棒金の誤収納をより高精度に検出することが可能である。
【図面の簡単な説明】
【００１５】
【図１】本発明の第１の実施形態による現金処理装置の外観を示す斜視図である。
【図２】棒金収納部の構成を示す斜視図である。
【図３】棒金が収納された棒金収納部の状態を示す斜視図である。
【図４】棒金収納部の平面図である。
【図５】比較例による棒金収納空間の断面図である。
【図６】本発明の第１の実施形態による棒金収納空間を示す、図４におけるＡ−Ａ断面図である。
【図７】棒金の収納状態を示す説明図である。
【図８】各金種の棒金収納空間を示す説明図である。
【図９】本発明の第２の実施形態による棒金収納空間を示す断面図である。
【図１０】異金種の棒金の収納状態を示す説明図である。
【図１１】変形例による棒金収納空間の構成を示す説明図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１８】
＜０．導入＞
本発明の実施形態は、小売店やスーパーマーケットなどの流通施設および商業施設に設置される現金処理装置に適用される。本実施形態による現金処理装置は、例えば、レジで用いられる釣銭準備金として紙幣および硬貨を出金する釣銭出金、およびレジから回収された紙幣および硬貨を入金する売上入金などの処理を実行可能である。さらに、本実施形態による現金処理装置は、硬貨を棒状に包装して得られる棒金を収納する棒金収納装置としての機能を包含する。以下、このような本実施形態による現金処理装置の構成を詳細に説明する。
【００１９】
＜１．第１の実施形態＞
（１−１．現金処理装置の構成）
図１は、本発明の第１の実施形態による現金処理装置１００の外観を示す斜視図である。図１に示したように、現金処理装置１００は、操作表示部１０２、硬貨入金口１０４、硬貨処理部１０６、硬貨出金口１０８、紙幣入出金口１１０、紙幣処理部１１２および棒金収納部１１４を備える。
【００２０】
操作表示部１０２は、オペレータ操作を検出する操作部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えば静電容量方式または抵抗膜方式のタッチパネルにより実現される。
【００２１】
硬貨入金口１０４は、硬貨の投入を受け付ける。例えば、硬貨入金口１０４は、複数の硬貨を同時に投入可能な大きさを有し、図１に示したように硬貨処理部１０６および硬貨出金口１０８よりも上部に配置される。なお、硬貨入金口１０４は開閉されるシャッタを有してもよく、硬貨が投入される際に当該シャッタが開かれ得る。
【００２２】
硬貨処理部１０６は、硬貨の入出金処理を行う。具体的には、硬貨処理部１０６は、硬貨入金口１０４に投入される硬貨を収納し、オペレータ操作によって指示される金種および枚数の硬貨を硬貨出金口１０８に送出する。
【００２３】
硬貨出金口１０８は、硬貨を現金処理装置１００の外部に放出する。例えば、硬貨出金口１０８は、複数の硬貨を同時に保留可能な大きさを有し、図１に示したように硬貨処理部１０６よりも下部に配置される。また、硬貨出金口１０８は開閉されるシャッタを有し、硬貨が放出される際に当該シャッタが開かれる。
【００２４】
紙幣入出金口１１０は、入金される紙幣の投入を受け付け、出金される紙幣を現金処理装置１００の外部に放出する。例えば、紙幣入出金口１１０は、複数の紙幣を同時に保留可能な大きさを有し、図１に示したように紙幣処理部１１２よりも上部に配置される。また、紙幣入出金口１１０は開閉されるシャッタを有し、紙幣が投入され、または放出される際に当該シャッタが開かれる。
【００２５】
紙幣処理部１１２は、紙幣の入出金処理を行う。具体的には、紙幣処理部１１２は、紙幣入出金口１１０に投入された紙幣を収納し、ユーザ操作によって指示された金種および枚数の紙幣を紙幣入出金口１１０に放出する。
【００２６】
棒金収納部１１４は、棒金を収納するための構成であり、現金処理装置１００から引き出し可能に構成される。オペレータは、棒金収納部１１４を現金処理装置１００から引き出すことにより、棒金収納部１１４に収納された棒金を取り出すことが可能である。以下、図２〜図４を参照し、棒金収納部１１４の構成をより具体的に説明する。
【００２７】
（１−２．棒金収納部の構成）
図２は、棒金収納部１１４の構成を示す斜視図である。図２に示したように、棒金収納部１１４は、棒金を立位状態で収納するための棒金トレイ１２０を有する。棒金トレイ１２０は、複数の棒金収納列Ｒを含み、各棒金収納列Ｒは、棒金を収納するための複数の棒金収納空間により形成される。
【００２８】
例えば、各棒金収納列Ｒは、図２に示したように、一円玉の棒金を収納するための２つの棒金収納空間Ｓ１、五円玉の棒金を収納するための１つの棒金収納空間Ｓ２、十円玉の棒金を収納するための３つの棒金収納空間Ｓ３、五十円玉の棒金を収納するための１つの棒金収納空間Ｓ４、百円玉の棒金を収納するための３つの棒金収納空間Ｓ５、および五百円玉の棒金を収納するための１つの棒金収納空間Ｓ６により形成される。すなわち、棒金収納列Ｒは、異なる金種の棒金を収納するための棒金収納空間Ｓ１〜Ｓ６により形成される。一方、棒金収納部１１４の引出し方向上には、同一金種の棒金を収納するための棒金収納空間が形成される。
【００２９】
上述した棒金収納空間Ｓ１〜Ｓ６の平面視における大きさは、棒金収納空間Ｓ１〜Ｓ６の各々に対応する金種に応じて異なる。具体的には、平面視における棒金収納空間Ｓ１〜Ｓ６の引出し方向上の径は、棒金収納空間Ｓ１〜Ｓ６の各々に対応する金種の棒金の径と略同サイズ、すなわち、棒金が収納された場合に棒金が棒金収納空間Ｓの引出し方向上の両側面に接するサイズに設計される。なお、各金種の棒金収納空間Ｓ１〜Ｓ６を特に区別する必要が無い場合には、各金種の棒金収納空間Ｓ１〜Ｓ６を単に棒金収納空間、または棒金収納空間Ｓと総称する。
【００３０】
図３は、棒金が収納された棒金収納部１１４の状態を示す斜視図である。図３に示したように、上述した棒金トレイ１２０の各棒金収納空間Ｓに、各棒金収納空間Ｓに対応する金種の棒金が収納されることにより、棒金トレイ１２０において棒金が格子状に配列される。
【００３１】
上述した棒金収納部１１４は、棒金収納部１１４の有高を管理するために、各棒金収納空間Ｓに棒金が収納されているか否かを判定するための棒金検出基板を有する。この棒金検出基板は、各棒金収納空間Ｓに収納された棒金の側面と対向するように、棒金収納列Ｒの列方向に沿って設けられる。以下、図４を参照し、棒金検出基板の構成をより具体的に説明する。
【００３２】
図４は、棒金収納部１１４の平面図である。図４に示したように、棒金収納部１１４においては、棒金収納列Ｒの各々に対して棒金検出基板１３０が設けられる。より詳細には、棒金収納列Ｒの棒金検出基板１３０側の側面の頂部を結ぶ直線と平行するように棒金検出基板１３０が設けられ、このため、棒金検出基板１３０と棒金収納空間Ｓ１〜Ｓ６の各側面との距離は同一となる。なお、棒金検出基板１３０は、棒金トレイ１２０に覆われる位置に設けられるので、図４においては棒金検出基板１３０を破線で示している。
【００３３】
また、棒金検出基板１３０は、図示しないコネクタを介して制御基板１５０と接続されている。
【００３４】
さらに、棒金検出基板１３０は、図４に示したように、棒金収納列Ｒに含まれる各棒金収納空間Ｓに対応する位置に、棒金の有無に応じて出力が変化するセンサとしてコイルＬを有する。コイルＬは、例えば棒金検出基板１３０に配線パターンで形成される。このコイルＬのインダクタンスは、コイルＬに対応する棒金収納空間Ｓにおける棒金の有無に応じて変化する。
【００３５】
ここで、棒金検出基板１３０は、当該コイルＬのインダクタンスを検出値として制御基板１５０に出力する。制御基板１５０は、棒金の有無を判定する判定部としての機能を有し、具体的には、当該棒金検出基板１３０から入力される検出値に基づき、各棒金収納空間Ｓにおける棒金の有無を判定することが可能である。
【００３６】
（１−３．比較例）
本発明の実施形態は、上述した棒金トレイ１２０の構成に関し、特に、棒金収納空間Ｓの構成に関する。そこで、本発明の実施形態による棒金収納空間Ｓの技術的意義の理解のために、本発明の実施形態による棒金収納空間Ｓの説明に先立ち、比較例による棒金収納空間の構成を以下に説明する。
【００３７】
図５は、比較例による棒金収納空間９０の断面図である。図５に示したように、比較例による棒金収納空間９０は、棒金の側面に対向する側部９２および棒金の底面に対向する底部９４により形成される。棒金収納空間９０は円柱状の空間であり、棒金収納空間９０の径は、当該棒金収納空間９０に対応する金種の棒金の径と略同一に設計される。このような棒金収納空間９０に棒金が収納されると、棒金収納空間９０に対して設けられたセンサＬの出力が変化することにより、棒金の収納が検出される。
【００３８】
しかし、棒金収納空間９０に所定の金種でない棒金が収納された場合（棒金が誤収納された場合）であっても、センサＬの出力に基づいて所定の金種の棒金が収納されたと誤検出されてしまう。棒金長は金種ごとに異なるので、オペレータは、棒金が誤収納されたことを棒金の上端の高さに基づいて認識し得るが、棒金長の金種ごとの差分を目視で確実に認識することは困難であった。
【００３９】
そこで、上記事情を一着眼点にして本発明の実施形態が創作されるに至った。本発明の実施形態によれば、棒金の誤収納をより高精度に検出することが可能である。以下、このような本発明の実施形態の構成を詳細に説明する。
【００４０】
（１−４．棒金収納空間の構成）
図６は、本発明の第１の実施形態による棒金収納空間Ｓ６（第１の棒金収納空間）を示す、図４におけるＡ−Ａ断面図である。五百円玉用の棒金収納空間Ｓ６は、図６に示したように、棒金の側面に対向する側部２１および棒金の底面に対向する底部２４により形成される。
【００４１】
さらに、本実施形態による側部２１は、棒金収納空間Ｓ６の下方にかけて棒金収納空間Ｓの断面が狭まるテーパ領域Ｔを有する。かかる構成により、棒金収納空間Ｓに五百円玉以外の棒金が収納された場合に、オペレータが棒金の誤収納を目視により認識し易くなる。この点について、図７を参照して具体的に説明する。
【００４２】
図７は、棒金の収納状態を示す説明図である。棒金収納空間Ｓ６の径は、五百円玉の棒金Ｂ６と略同一である。ここで、五百円玉の径は日本国内における硬貨の径の中で最大であるので、他の硬貨の棒金、例えば十円玉の棒金Ｂ３の径と棒金収納空間Ｓ６の径の差分は、五百円玉の棒金Ｂ６の径と棒金収納空間Ｓ６の径の差分よりも大きい。
【００４３】
従って、棒金収納空間Ｓ６に五百円玉の棒金Ｂ６が収納された状態と棒金収納空間Ｓ６に十円玉用の棒金Ｂ３が収納された状態を比較すると、図７に示したように、十円玉の棒金Ｂ３の方がテーパ領域Ｔにおける降下量が大きくなる。結果、棒金収納空間Ｓ６に五百円玉の棒金Ｂ６が収納された状態と棒金収納空間Ｓ６に十円玉の棒金Ｂ３が収納された状態とでは、棒金Ｂ６の上面と棒金Ｂ３の上面の高さに、棒金Ｂ６と棒金Ｂ３の長さ以上の差分ｄが生じる。
【００４４】
かかる構成により、オペレータは、棒金収納部１１４における棒金の誤収納を目視により容易にかつ高精度に検出することが可能である。
【００４５】
なお、棒金トレイ１２０には、テーパ領域Ｔを有する棒金収納空間と、テーパ領域Ｔを有さない棒金収納空間が混在していてもよい。例えば、日本国内における最小硬貨径を有する一円玉用の棒金収納空間Ｓ１（第２の棒金収納空間）には、一円玉より径が大きい金種の棒金の収納が困難であるので、棒金収納空間Ｓ１では棒金の誤収納が生じ難い。従って、図８に示したように、一円玉用の棒金収納空間Ｓ１には、誤収納の検出のためのテーパ領域Ｔが設けられなくてもよい。
【００４６】
また、棒金収納空間のテーパ領域Ｔのテーパ角度は金種ごとに異なってもよい。この背景として、最大硬貨径を有する五百円玉と他の硬貨との径の差分は、他の硬貨間の径の差分よりも大きい。このため、五百円玉用の棒金収納空間Ｓ６と例えば中間径硬貨である十円玉用の棒金収納空間Ｓ３のテーパ角度が同一であった場合、棒金収納空間Ｓ３のテーパ領域Ｔにおける他金種の棒金の降下量は、棒金収納空間Ｓ６のテーパ領域における他金種の棒金の降下量より小さくなる。すなわち、棒金収納空間Ｓ３における棒金の誤収納の検出が比較的難しくなる。上記背景に基づき、図８に示したように、十円玉用の棒金収納空間Ｓ３（第３の棒金収納空間）のテーパ領域Ｔのテーパ角度ｐは、五百円玉用の棒金収納空間Ｓ６のテーパ角度ｑよりも小さく設計されてもよい。かかる構成によれば、中間径硬貨用の棒金収納空間に棒金が誤収納された場合の棒金の降下量が増加するので、中間径硬貨用の棒金収納空間における棒金の誤収納もより高精度に検出することが可能となる。
【００４７】
＜２．第２の実施形態＞
以上、本発明の第１の実施形態を説明した。続いて、本発明の第２の実施形態を説明する。第２の実施形態によれば、以下に説明するように、棒金の誤収納を自動的に検出することが可能である。
【００４８】
図９は、本発明の第２の実施形態による棒金収納空間を示す断面図である。図９に示したように、第２の実施形態による棒金収納空間は、棒金Ｂの側面に対向する側部２１および棒金の底面に対向する底部２４により形成される。側部２１は、第１の実施形態と同様に、棒金収納空間の下方にかけて棒金収納空間の断面が狭まるテーパ領域Ｔを有する。
【００４９】
また、第２の実施形態においては、テーパ領域より上方に位置するコイルＬ１（第１のセンサ）およびコイルＬ１より下方に位置するコイルＬ２（第２のセンサ）が棒金収納空間に対して設けられる。
【００５０】
かかる構成においては、棒金収納空間に正しい棒金Ｂが図９に示したように収納された場合、棒金Ｂは、コイルＬ１の検出範囲に含まれるが、コイルＬ２の検出範囲には含まれない。このため、正しい棒金ＢはコイルＬ１のみによって検出される。一方、棒金収納空間に異金種の棒金Ｂが収納されると、図１０に示したように、棒金Ｂがテーパ領域Ｔにおいて降下する。このため、棒金Ｂは、コイルＬ１およびコイルＬ２の双方によって検出される。
【００５１】
従って、図４を参照して説明した制御基板１５０は、コイルＬ１によってのみ棒金Ｂが検出されていることに基づき、棒金Ｂが正しく収納されていると判断することができる。また、制御基板１５０は、コイルＬ２からの出力に基づいて、すなわち、異金種棒金検出センサとして機能するコイルＬ２により棒金が検出されていることに基づいて、棒金収納空間に棒金が誤収納されていると判断することが可能である。
【００５２】
なお、テーパ領域Ｔは、図９に示したように、棒金Ｂの立位方向と平行な第１の領域と、棒金の立位方向に対して傾斜する第２の領域を含み、コイルＬ２は、第１の領域側に設けられる。かかる構成により、いずれの金種の棒金が誤収納された場合でも、当該棒金の側面とコイルＬ２の距離を一定に保つことができるので、棒金が誤収納された場合のコイルＬ２の出力を安定させることが可能である。
【００５３】
（変形例）
上記では、コイルＬ２が側部２１に対向して設けられる構成、および、テーパ領域Ｔが棒金収納空間の下端に設けられる構成を説明したが、本実施形態はかかる構成に限定されない。以下、図１１を参照し、本実施形態の変形例を説明する。
【００５４】
図１１は、変形例による棒金収納空間の構成を示す説明図である。図１１に示したように、変形例による棒金収納空間は、棒金Ｂの側面に対向する側部２１および棒金の底面に対向する底部２４により形成される。
【００５５】
さらに、変形例による側部２１は、図１１に示したように、棒金収納空間の底部２４と離隔して位置するテーパ領域Ｔを有する。ここで、テーパ領域Ｔの最小径ｘは、当該棒金収納空間に収納されるべき金種の棒金の次に径が大きい棒金の径以上であって、当該棒金収納空間に収納されるべき金種の棒金の径未満に設計される。かかる構成により、当該棒金収納空間に収納されるべき金種の棒金はテーパ領域Ｔを通過せず、当該棒金未満の径を有する金種の棒金はテーパ領域Ｔを通過する。
【００５６】
また、変形例においては、テーパ領域より上方に位置するコイルＬ１、および、底部２４側に位置するコイルＬ２が棒金収納空間に対して設けられる。
【００５７】
かかる構成においては、棒金収納空間に正しい棒金が収納された場合、当該棒金は、コイルＬ１の検出範囲に含まれるが、コイルＬ２の検出範には含まれない。このため、正しい棒金ＢはコイルＬ１のみによって検出される。一方、棒金収納空間に異金種の棒金Ｂが収納されると、棒金Ｂがテーパ領域Ｔを通過する。このため、棒金Ｂは、コイルＬ１およびコイルＬ２の双方によって検出される。
【００５８】
従って、図４を参照して説明した制御基板１５０は、コイルＬ１によってのみ棒金Ｂが検出されていることに基づき、棒金Ｂが正しく収納されていると判断することができる。また、制御基板１５０は、コイルＬ２からの出力に基づいて、すなわち、異金種棒金検出センサとして機能するコイルＬ２により棒金が検出されていることに基づいて、棒金収納空間に棒金が誤収納されていると判断することが可能である。
【００５９】
＜３．むすび＞
以上説明したように、本実施形態によれば、棒金収納空間に異金種の棒金が収納された場合、オペレータは、棒金の上面の高さに基づいて棒金の誤収納を目視により検出することが可能である。特に、本発明の第２の実施形態によれば、棒金の誤収納をコイルＬ２の出力に基づいて自動的に検出することも可能である。
【００６０】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
２１  側部
２４  底部
１００  現金処理装置
１０２  操作表示部
１０４  硬貨入金口
１０６  硬貨処理部
１０８  硬貨出金口
１１０  紙幣入出金口
１１２  紙幣処理部
１１４  棒金収納部
１２０  棒金トレイ
１３０  棒金検出基板
１５０  制御基板
【図１】
0006447265.tif 000002
【図２】
0006447265.tif 000003
【図３】
0006447265.tif 000004
【図４】
0006447265.tif 000005
【図５】
0006447265.tif 000006
【図６】
0006447265.tif 000007
【図７】
0006447265.tif 000008
【図８】
0006447265.tif 000009
【図９】
0006447265.tif 000010
【図１０】
0006447265.tif 000011
【図１１】
0006447265.tif 000012